(57)【要約】  側面の互いに異なる位置にネジ穴が形成された複数種類のパネルのうちのいずれの種類のパネルのネジ穴にも連通する長孔が形成され、長孔とネジ穴を使ってネジ止めされることによって複数種類のいずれのパネルにも固定される板金部材であって、貫通孔が形成され貫通孔が長孔に重なる重畳位置に折曲加工される、パネルの種類に応じた複数の折曲片であって、長孔の、対応する種類のパネルの側面に形成されたネジ穴に連通する部分に折曲片の貫通孔が重なり、折曲片が他の種類のパネルの側面に形成されたネジ穴を塞ぐ複数の折曲片を有し、複数の折曲片のうちのいずれか１つの折曲片が重畳位置に折曲加工されるものである。
2009069218.tif 000002
【特許請求の範囲】
【請求項１】
側面の互いに異なる位置にネジ穴が形成された複数種類のパネルのうちのいずれの種類のパネルのネジ穴にも連通する長孔が形成され、該長孔と該ネジ穴を使ってネジ止めされることによって該複数種類のいずれのパネルにも固定される板金部材であって、
貫通孔が形成され該貫通孔が前記長孔に重なる重畳位置に折曲加工される、前記パネルの種類に応じた複数の折曲片であって、前記長孔の、対応する種類のパネルの側面に形成されたネジ穴に連通する部分に当該折曲片の貫通孔が重なり、当該折曲片が他の種類のパネルの側面に形成されたネジ穴を塞ぐ複数の折曲片を有し、該複数の折曲片のうちのいずれか１つの折曲片が前記重畳位置に折曲加工されてなることを特徴とする板金部材。
【請求項２】
前記複数の折曲片のうちの前記重畳位置に折曲加工されている折曲片の、折曲状態において表面に露出する位置に該折曲片に応じたマークが印されたものであることを特徴とする請求項１記載の板金部材。
【請求項３】
前記長孔が、前記パネルの厚さ方向に延びる長孔であって、前記複数の折曲片それぞれの貫通孔が、前記長孔の延びる方向とは交わる方向に延びる長孔であることを特徴とする請求項１または２記載の板金部材。
【請求項４】
前記パネルは、情報を表示する表示画面を有する表示パネルであり、
前記板金部材は、前記パネルの側面にネジ止めされ、前記表示画面の背面側に広がる部材であることを特徴とする請求項１から３のうちのいずれか１項記載の板金部材。
【請求項５】
側面にネジ穴が形成された、情報を表示する表示画面を有する第１の表示パネルと、
側面に形成されたネジ穴の位置が互いに異なる複数種類の表示パネルのうちのいずれの種類の表示パネルのネジ穴にも連通する長孔が形成され、該長孔と該ネジ穴を使ってネジ止めされることによって該複数種類のいずれの表示パネルにも固定される板金部材と、
前記板金部材に固定された表示パネルが収容される本体筐体とを備え、
前記板金部材が、貫通孔が形成され該貫通孔が前記長孔に重なる重畳位置に折曲加工される、前記表示パネルの種類に応じた複数の折曲片であって、前記長孔の、対応する種類の表示パネルの側面に形成されたネジ穴に連通する部分に当該折曲片の貫通孔が重なり、当該折曲片が他の種類の表示パネルの側面に形成されたネジ穴を塞ぐ複数の折曲片を有し、該複数の折曲片のうちの前記第１の表示パネルに対応する１つの折曲片が前記重畳位置に折曲加工され該第１の表示パネルにネジ止めされてなるものであることを特徴とする情報表示装置。
【請求項６】
側面にネジ穴が形成された第１のパネルと、側面に形成されたネジ穴の位置が互いに異なる複数種類のパネルのうちのいずれの種類のパネルのネジ穴にも連通する長孔が形成された板金部材とを、該長孔と該ネジ穴を使ってネジ止めしてパネルユニットを製造するパネルユニット製造方法において、
前記板金部材が、貫通孔が形成され該貫通孔が前記長孔に重なる重畳位置に折曲加工される、前記パネルの種類に応じた複数の折曲片であって、前記長孔の、対応する複数のパネルの側面に形成されたネジ穴に連通する部分に当該折曲片の貫通孔が重なり、当該折曲片が他の種類のパネルの側面に形成されたネジ穴を塞ぐ複数の折曲片を有するものであり、
前記板金部材を、複数の折曲片のうちの前記第１のパネルに対応する１つの折曲片を前記重畳位置に折曲加工する折曲加工工程と、
前記折曲加工工程を経ることにより得られた折曲状態の前記板金部材を前記第１のパネルにネジ止めするネジ止め工程とを有することを特徴とするパネルユニット製造方法。
【請求項７】
前記折曲加工工程は、前記複数の折曲片のうちの前記第１のパネルに対応する折曲片を前記重畳位置に折曲加工するとともに、折曲加工される折曲片の、折曲状態において表面に露出する位置に該折曲片に応じたマークを刻印する工程であることを特徴とする請求項６記載のパネルユニット製造方法。
【発明の詳細な説明】
【技術分野】
【０００１】
本発明は、側面にネジ穴が形成されたパネルにネジ止めされる板金部材、板金部材に固定された表示パネルを備えた情報表示装置、およびパネルに板金部材をネジ止めしてパネルユニットを製造するパネルユニット製造方法に関する。
【背景技術】
【０００２】
パーソナルコンピュータの分野においては、装置の小型・軽量化と、表示画面の大型化との両立が要求されている。このような要求を実現するため、薄型で軽量な液晶パネルを使った表示装置を適用したり、光源や制御基板等を液晶パネルの脇ではなく裏側に配置し、筐体と液晶パネルとの間の隙間が狭まった分だけ表示画面を広げることなどが行われている。この液晶パネルや、液晶パネルを制御する制御基板などは、衝撃などによって破損しやすいため、通常は、金属製の板金部材に液晶パネルと制御基板とが一緒に保持され、その板金部材が本体筐体に固定されることによって強度が高められている。【０００３】
ところで、パーソナルコンピュータを製造しているメーカーでは、自社内で液晶パネルを製造しているのではなく、専門のメーカーから製造済みの液晶パネルを購入して電子機器内に取り付けていることが一般的である。また、複数のメーカーから液晶パネルを取り寄せていることも多く、同じ機種のパーソナルコンピュータであっても、異なるメーカーの液晶パネルが搭載されていることがある。【０００４】
しかし、近年では、次々の大型の液晶パネルが開発されてきており、液晶パネルを製造している複数のメーカー間で、液晶パネルのサイズや、液晶パネルに取り付けられる板金部材のネジの位置などが規格化されていないのが現状である。このため、外形サイズが同じ液晶パネルであっても、複数のメーカーそれぞれで製造された複数種類の液晶パネル間でネジ穴の位置などが微妙にずれていることがあり、パーソナルコンピュータを製造しているメーカー側では、複数種類の液晶パネルそれぞれのネジ穴に合った板金部材やネジを個別に用意する必要があり、コストが上昇してしまううえ、部品の管理が煩雑になってしまうという問題がある。【０００５】
この点に関し、板金部材に、複数種類の液晶パネルそれぞれに設けられた複数のネジ穴と重なる長孔を形成しておき、冶具などを使って正確な位置にネジ止めすることが行われている。また、特許文献１には、複数の素子それぞれのサイズに合わせてスリット付きの連動板を移動させることにより、部品を共通化することができるサーマルリレーについて記載されている。
【特許文献１】特開平５−２７４９８６号公報
【０００６】
しかし、冶具を使ってネジ止めを行う方法は、手間と時間がかかってしまい、コストの上昇にも繋がってしまう。また、特許文献１に記載された技術を流用しようとすると、別部材のスリットを設けた特殊な板金部材が必要となるため、コストが上昇してしまったり、液晶パネルのネジ穴に合わせてスリットの位置を微調整しなければならないため、部品の組み立てに手間がかかってしまうという問題がある。【０００７】
上記事情に鑑み、コストの上昇を抑え、ネジ穴の位置が相互に異なる複数種類の表示パネル間で部品を共通化することができる板金部材、情報表示装置、およびパネルユニット製造方法を提供する。
【発明の開示】
【０００８】
上記目的を達成する板金部材の基本形態は、
側面の互いに異なる位置にネジ穴が形成された複数種類のパネルのうちのいずれの種類のパネルのネジ穴にも連通する長孔が形成され、長孔とネジ穴を使ってネジ止めされることによって複数種類のいずれのパネルにも固定される板金部材であって、
貫通孔が形成され貫通孔が長孔に重なる重畳位置に折曲加工される、パネルの種類に応じた複数の折曲片であって、長孔の、対応する種類のパネルの側面に形成されたネジ穴に連通する部分に折曲片の貫通孔が重なり、折曲片が他の種類のパネルの側面に形成されたネジ穴を塞ぐ複数の折曲片を有し、複数の折曲片のうちのいずれか１つの折曲片が重畳位置に折曲加工されるものである。
【０００９】
この板金部材の基本形態によると、パネルの種類に応じた折曲片を折り曲げることによって、パネルのネジ穴と、板金部材の長孔と、折曲片に設けられた貫通孔とが連通するため、複数種類のパネル間でネジや板金部材を共通化することができる。また、板金部材の基本形態によると、板金部材とは別部材の板材などを用意する必要がないため、コストの上昇を抑えることができるとともに、パネルの種類の応じた折曲片を折り曲げるだけで、容易にネジ穴の位置を調整することができる。
【００１０】
また、上述した基本形態に対して、
上記複数の折曲片のうちの重畳位置に折曲加工されている折曲片の、折曲状態において表面に露出する位置に折曲片に応じたマークが印されたものであるという応用形態は好ましい。
【００１１】
この応用形態によると、折曲片が折曲加工されると、その折曲片に応じたマークが表面に露出するため、複数種類のパネルのうちのどのパネルに板金部材が固定されているのかを容易に確認することができる。
【００１２】
また、上述した基本形態に対して、
上記長孔が、パネルの厚さ方向に延びる長孔であって、複数の折曲片それぞれの貫通孔が、長孔の延びる方向とは交わる方向に延びる長孔であるという形態は好適である。
【００１３】
複数の折曲片それぞれの貫通孔が、パネルの厚さ方向に延びる長孔と交わる方向に延びる長孔であることによって、折曲片の折り曲げ精度のずれを吸収することができる。
【００１４】
また、上述した基本形態に対して、
上記パネルは、情報を表示する表示画面を有する表示パネルであり、
上記板金部材は、パネルの側面にネジ止めされ、表示画面の背面側に広がる部材であるという応用形態は好ましい。
【００１５】
表示パネルは、複数のメーカーから取り寄せられて電子機器内などに搭載されることが多い。この応用形態によると、複数種類の表示パネル間でネジ穴の位置が異なっていても板金部材を共通化することができ、コストの上昇を抑えることができる。
【００１６】
また、上記目的を達成する情報表示装置の基本形態は、
側面にネジ穴が形成された、情報を表示する表示画面を有する第１の表示パネルと、
側面に形成されたネジ穴の位置が互いに異なる複数種類の表示パネルのうちのいずれの種類の表示パネルのネジ穴にも連通する長孔が形成され、長孔とネジ穴を使ってネジ止めされることによって複数種類のいずれの表示パネルにも固定される板金部材と、
板金部材に固定された表示パネルが収容される本体筐体とを備え、
板金部材が、貫通孔が形成され貫通孔が長孔に重なる重畳位置に折曲加工される、表示パネルの種類に応じた複数の折曲片であって、長孔の、対応する種類の表示パネルの側面に形成されたネジ穴に連通する部分に折曲片の貫通孔が重なり、折曲片が他の種類の表示パネルの側面に形成されたネジ穴を塞ぐ複数の折曲片を有し、複数の折曲片のうちの第１の表示パネルに対応する１つの折曲片が重畳位置に折曲加工され第１の表示パネルにネジ止めされてなるものである。
【００１７】
この情報表示装置の基本形態によると、コストの上昇を抑えて、複数種類の表示パネル間で板金部材を共通化することができる。
【００１８】
また、上記目的を達成するパネルユニット製造方法の基本形態は、
側面にネジ穴が形成された第１のパネルと、側面に形成されたネジ穴の位置が互いに異なる複数種類のパネルのうちのいずれの種類のパネルのネジ穴にも連通する長孔が形成された板金部材とを、長孔と該ネジ穴を使ってネジ止めしてパネルユニットを製造するパネルユニット製造方法において、
板金部材が、貫通孔が形成され貫通孔が長孔に重なる重畳位置に折曲加工される、パネルの種類に応じた複数の折曲片であって、長孔の、対応する複数のパネルの側面に形成されたネジ穴に連通する部分に折曲片の貫通孔が重なり、折曲片が他の種類のパネルの側面に形成されたネジ穴を塞ぐ複数の折曲片を有するものであり、
板金部材を、複数の折曲片のうちの第１のパネルに対応する１つの折曲片を前記重畳位置に折曲加工する折曲加工工程と、
折曲加工工程を経ることにより得られた折曲状態の板金部材を第１のパネルにネジ止めするネジ止め工程とを有することを特徴とする。
【００１９】
このパネルユニット製造方法の基本形態によると、パネルの種類の応じた折曲片を折り曲げるだけで、容易にパネルのネジ穴の位置と板金部材のネジ穴の位置とを合わせることができる。
【００２０】
また、上述したパネルユニット製造方法の基本形態に対して、上記折曲加工工程は、複数の折曲片のうちの第１のパネルに対応する折曲片を重畳位置に折曲加工するとともに、折曲加工される折曲片の、折曲状態において表面に露出する位置に折曲片に応じたマークを刻印する工程であるという応用形態は好適である。
【００２１】
この好適な板金ネジ止め方法によると、新たに工程を増やすことなく、折曲片に応じたマークを刻印することができる。
【図面の簡単な説明】
【００２２】
【図１】電子機器の具体的な第１実施形態であるパーソナルコンピュータの外観図である。
【図２】パーソナルコンピュータの側面図である。
【図３】パーソナルコンピュータの背面図である。
【図４】パーソナルコンピュータの底面図である。
【図５】パーソナルコンピュータの内部構成図である。
【図６】上後方ケースを取り外したパーソナルコンピュータの背面図である。
【図７】上後方ケースから取り外された状態の板金部材および液晶パネルの背面図である。
【図８】上後方ケースに装着された状態の板金部材および液晶パネルの背面図である。
【図９】上後方ケースに装着された状態の板金部材および液晶パネルの前面図である。
【図１０】相互に異なるメーカーで製造された液晶パネルの側面図である。
【図１１】板金部材の側面図である。
【図１２】板金部材の、縦長孔付近の拡大図である。
【図１３】板金部材がネジ止めされた１つ目の表示パネルを示す図である。
【図１４】板金部材がネジ止めされた２つ目の表示パネルを示す図である。
【発明を実施するための最良の形態】
【００２３】
以下、図面を参照して、上記説明した板金部材、情報表示装置、およびパネルユニット製造方法に対する具体的な実施形態を説明する。【００２４】
図１は、情報表示装置の具体的な第１実施形態であるパーソナルコンピュータ１００の外観図である。【００２５】
このパーソナルコンピュータ１００は、情報を表示する表示装置と、ハードディスク装置やＣＰＵなどが同じ筐体内に一緒に搭載された本体一体型のパーソナルコンピュータである。尚、実際には、パーソナルコンピュータ１００にはキーボードやマウスなども接続されるが、図１では図示を省略している。【００２６】
図１には、パーソナルコンピュータ１００を前方から見た図が示されている。パーソナルコンピュータ１００は、上前方ケース１１Ａ、上後方ケース１１Ｂ、下前方ケース１２Ａ、および下後方ケース１２Ｂによって構成された空間内に、表面に表示画面２１が広がった液晶パネル、ＣＰＵ、ハードディスク装置、冷却ファン、電源装置、各種基板、およびそれらを相互に接続するケーブルなどが収容されている。上前方ケース１１Ａ、上後方ケース１１Ｂ、下前方ケース１２Ａ、および下後方ケース１２Ｂを合わせたものは、上述した情報表示装置の基本形態における本体筐体の一例に相当する。【００２７】
また、パーソナルコンピュータ１００の前面には、パーソナルコンピュータ１００を起動するための起動スイッチ３４ａや、表示画面２１上に情報を表示するための表示スイッチ３４ｂなどが設けられており、パーソナルコンピュータ１００の一側面には、ＣＤやＤＶＤ等の光ディスクを装填するための光ディスク装填口３１と、フレキシブルディスク（以下では、ＦＤと称する）を装填するためのＦＤ装填口３２が設けられている。【００２８】
図２は、パーソナルコンピュータ１００の側面図であり、図３は、パーソナルコンピュータ１００の背面図である。【００２９】
パーソナルコンピュータ１００は、上前方ケース１１Ａに上後方ケース１１Ｂが取り付けられ、下前方ケース１２Ａに下後方ケース１２Ｂが取り付けられている。上前方ケース１１Ａには、表示画面２１を前面にして液晶パネルが嵌め込まれており、表示画面２１の背面側に、ハードディスク装置や各種基板などが収容されている。表示画面２１は、上述した情報表示装置の基本形態における表示画面の一例に相当する。また、パーソナルコンピュータ１００の背面には、電源を投入するための主電源スイッチ４０や、ＬＡＮカードなどといった機能拡張用の拡張カードを装填するための拡張カード装填口３３が設けられている。【００３０】
図４は、パーソナルコンピュータ１００の底面図である。【００３１】
パーソナルコンピュータ１００内部の上方には、交換可能なハードディスク装置などが収容されており、下方には、通常は交換されない基板などが筐体フレームに保護されて収容されている。例えば、下前方ケース１２Ａは交換可能なプラスチックのカバーであり、金属製の筐体フレーム（図１０参照）にプリント基板が取り付けられ、筐体フレームが下前方ケース１２Ａにネジ５０で固定されている。通常の修理では、上前方ケース１１Ａから上後方ケース１１Ｂのみが取り外されて、パーソナルコンピュータ１００内部の上方に収容されたハードディスク装置の交換などが行われる。【００３２】
図５は、パーソナルコンピュータ１００の内部構成図である。【００３３】
パーソナルコンピュータ１００には、図５に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、音声信号を生成して音声を出力するスピーカデバイス１０４、外部装置からデータを入力する入力インタフェース１０５、キーボードやトラックパッドなどを含む操作子１０６、表示画面２１上に情報を表示に関する表示装置１０７、ＦＤ６１が装填され、その装填されたＦＤ６１をアクセスするＦＤドライブ１０８、ＣＤ−ＲＯＭ６２やＤＶＤが装填され、その装填されたＣＤ−ＲＯＭ６２やＤＶＤをアクセスするＣＤ／ＤＶＤドライブ１０９、外部装置へデータを出力する出力インタフェース１１０、および拡張カード６３を使って通信を行う通信インタフェース１１１などが内蔵されており、これらの各種要素は、バス１１２を介して相互に接続されている。【００３４】
ここで、パーソナルコンピュータ１００には、複数のメーカーから取り寄せられた複数種類の液晶パネルのうちのいずれかの液晶パネルが搭載されている。液晶パネルには、強度を高めるために金属製の板金部材が固定されており、複数種類の液晶パネルそれぞれのネジ穴の位置のずれが板金部材によって吸収されている。以下では、液晶パネルと板金部材をネジ止めしてパネルユニットを製造するパネルユニット製造方法について詳しく説明する。【００３５】
図６は、上後方ケース１１Ｂを取り外したパーソナルコンピュータ１００の背面図である。【００３６】
図６に示すように、液晶パネル２１０は、金属製の板金部材３１０に保持されており、板金部材３１０が、液晶パネル２１０の表示画面２１を前面にして上前方ケース１１Ａに固定されている。液晶パネル２１０は、上述した基本形態におけるパネルの一例にあたるとともに、上述した応用形態における表示パネルの一例にも相当する。また、板金部材３１０は、上述した基本形態における板金部材の一例に相当する。【００３７】
液晶パネル２１０の裏面側には、図５にも示す通信インタフェース１１１や、ハードディスク装置１０３などが搭載されたメイン基板２２０や、電力を制御するための電源装置２３０などが重ねて配置されている。パーソナルコンピュータ１００は、筐体フレームの一部である仕切りフレーム２４０によって上下に仕切られており、その仕切りフレーム２４０の下には、スピーカデバイス１０４（図５参照）や各種スイッチ３３ａ，３４ｂ（図１参照）などが搭載されたプリント基板が収容されている。また、メイン基板２２０とプリント基板は、フラットケーブル２５０によって接続されており、フラットケーブル２５０の一端側の端子がメイン基板２２０のコネクタ２２１に装着され、フレーム２４０に設けられた貫通孔２４１を通って他端側の端子がプリント基板に装着されている。【００３８】
図７は、上後方ケース１１Ｂから取り外された状態の板金部材３１０および液晶パネル２１０の背面図である。【００３９】
図７に示すように、液晶パネル２１０の裏面側には、液晶パネル２１０を制御する制御基板２１１が折り曲げて重ねられており、板金部材３１０は、液晶パネル２１０と制御基板２１１の両端に固定されている。板金部材３１０には、液晶パネル２１０から延びたケーブル２１２が通る配線用穴３１１が設けられており、配線用穴３１１によって板金部材３１０の背面側に通されたケーブル２１２や、制御基板２１１から延びたフラットケーブル２１３は、図６の仕切りフレーム２４０の下に隠蔽されたプリント基板などに接続される。【００４０】
図８は、上後方ケース１１Ｂに装着された状態の板金部材３１０および液晶パネル２１０の背面図であり、図９は、上後方ケース１１Ｂに装着された状態の板金部材３１０および液晶パネル２１０の前面図である。【００４１】
図８に示すように、板金部材３１０は、液晶パネル２１０と制御基板２１１の両縁を保持して固定されており、さらに、板金部材３１０が上後方ケース１１Ｂに嵌め込まれている。また、図９に示すように、表示画面２１が設けられた表面側から見ると、板金部材３１０は上後方ケース１１Ｂによって隠蔽されている。【００４２】
ところで、上述したように、液晶パネル２１０は、複数のメーカーから取り寄せられており、それら複数種類の液晶パネル２１０間で共通の板金部材３１０やネジなどが用いられている。【００４３】
図１０は、相互に異なるメーカーで製造された液晶パネルの側面図である。【００４４】
図１０に示す液晶パネル２１０Ａ，２１０Ｂそれぞれの側面には、図８に示す板金部材３１０がネジ止めされるネジ穴４１０Ａ，４１０Ｂが設けられているが、それらネジ穴４１０Ａ，４１０Ｂの位置が相互に異なっている。ネジ穴４１０Ａ，４１０Ｂは、上述した基本形態におけるネジ穴の一例に相当する。【００４５】
図１１は、板金部材３１０の側面図である。【００４６】
板金部材３１０の側面には、図１０に示す液晶パネル２１０Ａ，２１０Ｂのネジ穴４１０Ａ，４１０Ｂそれぞれに対応する２つの丸孔の一部が重なった縦長孔３５１と、縦長孔３５１に向けて左右それぞれから折り曲げ可能な２つの折曲片３２０，３３０と、補助用の貫通孔３４０が設けられている。また、一方の折曲片３２０には、折曲片３２０を折り曲げたときに縦長孔３５１のうちの下側の丸孔に重なる横長孔３２１が設けられており、他方の折曲片３３０には、折曲片３３０を折り曲げたときに縦長孔３５１のうちの上側の丸孔に重なる横長孔３３１が設けられている。尚、縦長孔３５１の脇には、２つの折曲片３２０，３３０が開いていることを示すマーク３５２が記されている。縦長孔３５１は、上述した基本形態における長孔の一例に相当し、２つの折曲片３２０，３３０は、上述した基本形態における複数の折曲片の一例に相当する。また、横長孔３２１，３３１は、上述した基本形態における貫通孔の一例にあたるとともに、上述した応用形態における「長孔の延びる方向とは交わる方向に延びる長孔」の一例に相当する。【００４７】
図１２は、板金部材３１０の、縦長孔３５１付近の拡大図である。【００４８】
図１２（Ａ）には、２つの折曲片３２０，３３０が折り曲げられる前の状態における、板金部材３１０の表面が示されている。この状態では、折曲片３２０，３３０が開いていることを示すマーク３５２が表面に露出している。【００４９】
図１２（Ｂ）には、２つの折曲片３２０，３３０が折り曲げられる前の状態における、板金部材３１０の裏面が示されている。折曲片３２０，３３０が折り曲げられる前の状態では、板金部材３１０の裏面側にはマークが記されていない。【００５０】
図１２（Ｃ）には、２つの折曲片３２０，３３０のうちの一方の折曲片３２０が折り曲げられた状態における、板金部材３１０の表面が示されている。折曲片３２０が折曲加工されると、折曲片３２０の横長孔３２１が縦長孔３５１を構成する２つの丸孔のうちの下側の丸孔と重なるとともに、２つの丸孔のうちの上側の丸孔が隠蔽される。また、折曲片３２０の、折り曲げたときに表面に露出する位置に、折曲片３２０が折曲加工されたことを示すマーク３２２が刻印される。マーク３２２は、上述した応用形態におけるマークの一例に相当する。【００５１】
図１２（Ｄ）には、２つの折曲片３２０，３３０のうちの図１２（Ｃ）で折り曲げられた方とは別の折曲片３３０が折り曲げられた状態における、板金部材３１０の表面が示されている。折曲片３３０が折曲加工されると、折曲片３３０の横長孔３３１が縦長孔３５１を構成する２つの丸孔のうちの上側の丸孔と重なるとともに、２つの丸孔のうちの下側の丸孔が隠蔽される。また、折曲片３３０の、折り曲げたときに表面に露出する位置に、折曲片３３０が折曲加工されたことを示すマーク３３２が刻印される。マーク３３２も、上述した応用形態におけるマークの一例に相当する。【００５２】
ここで、本実施形態においては、パーソナルコンピュータ１００には、図１０に示す２つの表示パネル２１０Ａ，２１０Ｂのうちのいずれか一方が搭載される。これら２つの表示パネル２１０Ａ，２１０Ｂのうちの、図１０の上側に示す表示パネル２１０Ａは、ネジ穴４１０Ａの位置が上側に寄っており、図１０の下側に示す表示パネル２１０Ｂは、ネジ穴４１０Ｂの位置が下側に寄っている。【００５３】
図１２に示す縦長孔３５１のうちの上側の丸孔、および一方の折曲片３２０の横長孔３２１は、ネジ穴が上側に寄った１つ目の表示パネル２１０Ａのネジ穴４１０Ａと重なる位置に設けられている。また、図１２に示す縦長孔３５１のうちの下側の丸孔と、もう一方の折曲片３３０の横長孔３３１は、ネジ穴が下側に寄った表示パネル２１０Ｂのネジ穴４１０Ｂと重なる位置に設けられている。【００５４】
図１３は、板金部材３１０がネジ止めされた１つ目の表示パネル２１０Ａを示す図である。【００５５】
１つ目の表示パネル２１０Ａが搭載される場合には、下側に寄った位置に横長孔３２１が設けられた折曲片３２０が折り曲げられ、折曲片３２０が折曲加工されたことを示すマーク３２２が刻印される。折曲片３２０を折り曲げる工程は、上述したパネルユニット製造方法の基本形態における折曲加工工程の一例に相当する。【００５６】
折曲片３２０が折り曲げられると、図１２（Ｄ）に示すように、縦長孔３５１のうちの上側の丸孔と、折曲片３２０の横長孔３２１とが重なり、さらに、縦長孔３５１のうちの下側の丸孔が塞がる。本実施形態においては、折曲片３２０に縦長孔３５１の延びる方向と交わる方向に延びる横長孔３２１が設けられているため、折曲片３２０の折り曲げ精度による誤差が吸収されており、縦長孔３５１と横長孔３２１とを確実に連通させることができる。続いて、縦長孔３５１、横長孔３２１、および表示パネル２１０Ａのネジ穴４１０Ａにネジ５００が挿入されて、板金部材３１０が表示パネル２１０Ａに固定される。表示パネル２１０Ａに板金部材３１０をネジ止めする工程は、上述したパネルユニット製造方法の基本形態におけるネジ止め工程の一例に相当する。【００５７】
図１４は、板金部材３１０がネジ止めされた２つ目の表示パネル２１０Ａを示す図である。【００５８】
２つ目の表示パネル２１０Ｂが搭載される場合には、上側に寄った位置に横長孔３３１が設けられた折曲片３３０が折り曲げられ、折曲片３３０が折曲加工されたことを示すマーク３３２が刻印される。折曲片３３０を折り曲げる工程も、上述したパネルユニット製造方法の基本形態における折曲加工工程の一例に相当する。【００５９】
折曲片３３０が折り曲げられると、図１２（Ｃ）に示すように、縦長孔３５１のうちの下側の丸孔と、折曲片３３０の横長孔３３１とが重なり、それら縦長孔３５１、横長孔３３１、および表示パネル２１０Ｂのネジ穴４１０Ｂにネジ５００が挿入されて、板金部材３１０が表示パネル２１０Ｂに固定される。表示パネル２１０Ｂに板金部材３１０をネジ止めする工程も、上述したパネルユニット製造方法の基本形態におけるネジ止め工程の一例に相当する。【００６０】
図１０に示すように、２つの表示パネル２１０Ａ，２１０Ｂはネジ穴４１０Ａ，４１０Ｂの位置が相互に異なっているが、それら表示パネル２１０Ａ，２１０Ｂに応じた折曲片３２０，３３０を折り曲げることによって、板金部材３１０のネジ穴の位置を容易に表示パネル２１０Ａ，２１０Ｂはネジ穴４１０Ａ，４１０Ｂに合った位置に合わせることができる。また、折曲片３２０，３３０を折り曲げることによって、縦長孔３５１を構成する２つの丸孔のうち、対応する表示パネル２１０Ａ，２１０Ｂのネジ穴４１０Ａ，４１０Ｂに合っていない丸孔が隠蔽されるため、誤った位置にネジ５００を挿しこんでしまう不具合を回避することができる。さらに、２つの折曲片３２０，３３０が折り曲げられると、折り曲げられた折曲片３２０，３３０に応じたマーク３２２，３３２が表面に露出するとともに、予め表面に記されていたマーク３５２が隠蔽される。このため、マーク３２２，３３２，３５２を確認することによって、折曲片３２０，３３０の状態を容易に認識することができ、誤ったネジ穴を使って板金部材を固定してしまう不具合も軽減することができる。【００６１】
ここで、上記では、「課題を解決するための手段」で説明した情報表示装置の一例としてパーソナルコンピュータが示されているが、この情報表示装置は、表示パネルに板金部材が固定されるものであれば、コンピュータ用モニター、ノートブック型コンピュータ、ＰＤＡ、ゲーム機、テレビや携帯電話機などであってもよい。【００６２】
また、上記では、表示パネルとして液晶パネルを例にしたが、液晶パネルに限らず、プラズマディスプレイや電界放出ディスプレイ、有機ＥＬディスプレイなどその表示パネルの種類を問うものではない。【００６３】
また、上記では、上述した基本形態にいう複数の折曲片として２つの折曲片を設ける例について説明したが、上述した基本形態は、３つ以上の表示パネルそれぞれに設けられたネジ穴と連通する貫通孔を有する３つ以上の折曲片を設けたものであってもよい。【００６４】
また、上記では、折曲片を折り曲げるときにマークを刻印する例について説明したが、折曲片の裏面側の、折り曲げたときに表面に露出する位置に予めマークを記しておいてもよい。【００６５】
また、上記では、異なるメーカーの表示パネルを例に説明したが、同じメーカーの異なる製品モデルの表示パネルも対象に上記板金部材を利用できることは言うまでもない。
【図１】
2009069218.tif 000003
【図２】
2009069218.tif 000004
【図３】
2009069218.tif 000005
【図４】
2009069218.tif 000006
【図５】
2009069218.tif 000007
【図６】
2009069218.tif 000008
【図７】
2009069218.tif 000009
【図８】
2009069218.tif 000010
【図９】
2009069218.tif 000011
【図１０】
2009069218.tif 000012
【図１１】
2009069218.tif 000013
【図１２】
2009069218.tif 000014
【図１３】
2009069218.tif 000015
【図１４】
2009069218.tif 000016
【国際調査報告】
2009069218.tif 000017
2009069218.tif 000018